【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
治療領域を治療するために血管に挿入するためのバルーンカテーテルであって、
シャフトと、
前記シャフトに固定される遠位端を有するとともに内部を有する膨張可能なバルーンと、
前記バルーンの前記内部において前記シャフト上に前記カテーテルの長手方向軸線に沿って間隔が隔てられた少なくとも３つのＸ線不透過性マーキングと
を備え、
第１のＸ線不透過性マーキングを隣接する第２のＸ線不透過性マーキングから離間させる第１の距離は、前記第２のＸ線不透過性マーキングを隣接する第３のＸ線不透過性マーキングから離間させる第２の距離とは異なっており、
前記バルーンは、非膨張中央位置と膨張中央位置とを備え、
前記シャフトは、前記非膨張中央位置に対してオフセットされた位置に位置決めされた少なくとも１つのＸ線不透過性マーキングを備え、
前記バルーンの膨張時に、前記少なくとも１つのＸ線不透過性マーキングは、前記膨張中央位置と実質的に整合する
バルーンカテーテル。
【請求項２】
請求項１に記載のバルーンカテーテルであって、
前記カテーテルの前記シャフトは、さらに、ガイドワイヤ内腔を形成する内側チューブ状部材を備え、
前記内側チューブ状部材は、少なくとも３つのＸ線不透過性マーキングを備える
バルーンカテーテル。
【請求項３】
請求項１または請求項２に記載のバルーンカテーテルであって、
前記シャフトは、前記第１のＸ線不透過性マーキングおよび前記第２のＸ線不透過性マーキングの少なくとも一方を有する外壁を備える
バルーンカテーテル。
【請求項４】
請求項１ないし請求項３のいずれか一項に記載のバルーンカテーテルであって、
前記第１の距離は、前記第２の距離よりも小さく、
前記長手方向軸線に沿って、前記第１のＸ線不透過性マーキングは、前記第２のＸ線不透過性マーキングに対して遠位側にあり、前記第２のＸ線不透過性マーキングは、前記第３のＸ線不透過性マーキングに対して遠位側にある
バルーンカテーテル。
【請求項５】
請求項１ないし請求項４のいずれか一項に記載のバルーンカテーテルであって、
前記少なくとも３つのＸ線不透過性マーキングは、複数の隣接する対を備えるパターンで配列され、
前記隣接する対は、前記第１の距離および前記第２の距離によって交互に間隔が隔てられている
バルーンカテーテル。
【請求項６】
請求項１ないし請求項５のいずれか一項に記載のバルーンカテーテルであって、
前記Ｘ線不透過性マーキングは、前記カテーテル上の遠位位置から前記カテーテル上の近位位置まで互いから徐々に距離が大きくなるように間隔が隔てられた隣接するＸ線不透過性マーキングを備えるパターンで配列されている
バルーンカテーテル。
【請求項７】
請求項１に記載のバルーンカテーテルであって、
前記第２のＸ線不透過性マーキングは、前記バルーンの作用面の少なくとも一方の端部に対応する
バルーンカテーテル。
【請求項８】
請求項７に記載のバルーンカテーテルであって、
前記シャフト上の前記第３のＸ線不透過性マーキングは、前記作用面の他の端部に対応する位置に設けられた
バルーンカテーテル。
【請求項９】
請求項１ないし請求項８のいずれか一項に記載のバルーンカテーテルであって、
前記オフセットされた位置は、前記非膨張中央位置から近位方向に間隔が隔てられている
バルーンカテーテル。
【請求項１０】
請求項１ないし請求項８のいずれか一項に記載のバルーンカテーテルであって、
前記オフセットされた位置は、前記非膨張中央位置から遠位方向に間隔が隔てられている
バルーンカテーテル。
【請求項１１】
請求項１ないし請求項８のいずれか一項に記載のバルーンカテーテルであって、
前記オフセットされた位置は、膨張状態にある前記バルーンの前記遠位端と近位端との間の長さの約１ないし１５％の距離だけ前記非膨張中央位置から間隔が隔てられている
バルーンカテーテル。
【請求項１２】
請求項１ないし請求項１１のいずれか一項に記載のバルーンカテーテルであって、
さらに、前記バルーンの前記内部の外部に少なくとも１つのＸ線不透過性マーキングを備える
バルーンカテーテル。
【請求項１３】
請求項１２に記載のバルーンカテーテルであって、
前記外部のＸ線不透過性マーキングは、前記シャフト上に配置された
バルーンカテーテル。
【請求項１４】
請求項１２に記載のバルーンカテーテルであって、
さらに、前記バルーンに膨張流体を供給するための膨張内腔を形成する外側チューブ状シャフトを備え、
前記外部のＸ線不透過性マーキングは、前記外側チューブ状シャフト上に配置された
バルーンカテーテル。
【請求項１５】
請求項１ないし請求項１４のいずれか一項に記載のバルーンカテーテルであって、
さらに、前記バルーンの前記内部の外部に複数のＸ線不透過性マーキングを備え、
前記複数の外部のＸ線不透過性マーキングは、等間隔に間隔が隔てられている
バルーンカテーテル。
【請求項１６】
請求項１ないし請求項１５のいずれか一項に記載のバルーンカテーテルであって、
さらに、前記バルーンの前記内部の外部に複数のＸ線不透過性マーキングを備え、
前記複数の外部のＸ線不透過性マーキングは、不規則に間隔が隔てられている
バルーンカテーテル。
【請求項１７】
請求項１ないし請求項１６のいずれか一項に記載のバルーンカテーテルであって、
前記マーキングは、少なくとも部分的にＸ線不透過性材料から形成されたバンドを備える
バルーンカテーテル。
【請求項１８】
治療領域を治療するために血管に挿入するためのバルーンカテーテルであって、
シャフトと、
前記シャフトに固定される遠位端を有するとともに内部を有する膨張可能なバルーンと、
前記シャフト上で前記カテーテルの長手方向軸線に沿って延在するとともに、前記バルーンの前記内部に配置された少なくとも３つのＸ線不透過性マーキングと
を備え、
第１のＸ線不透過性マーキングを第２のＸ線不透過性マーキングから離間させる非Ｘ線不透過性材料の第１の量は、前記第２のＸ線不透過性マーキングを第３のＸ線不透過性マーキングから離間させる非Ｘ線不透過性材料の第２の量とは異なっており、
前記バルーンは、非膨張中央位置と膨張中央位置とを備え、
前記シャフトは、前記非膨張中央位置に対してオフセットされた位置に位置決めされた少なくとも１つのＸ線不透過性マーキングを備え、
前記バルーンの膨張時に、前記少なくとも１つのＸ線不透過性マーキングは、前記膨張中央位置と実質的に整合する
バルーンカテーテル。
【請求項１９】
バルーンカテーテルであって、
細長いチューブ状のシャフトと、
前記シャフトによって支持され、前記シャフトに固定される遠位端を有するとともに、非膨張中央位置と膨張中央位置とを有する膨張可能なバルーンと
を備え、
前記シャフトは、前記非膨張中央位置に対してオフセットされた位置に位置決めされた少なくとも１つの第１のＸ線不透過性マーキングを備え、
前記バルーンの膨張時に、前記少なくとも１つの第１のＸ線不透過性マーキングは、前記膨張中央位置と実質的に整合する
バルーンカテーテル。
【請求項２０】
請求項１９に記載のバルーンカテーテルであって、
さらに、前記バルーンの作用面の少なくとも一方の端部に対応する第２のＸ線不透過性マーキングを備える
バルーンカテーテル。
【請求項２１】
請求項２０に記載のバルーンカテーテルであって、
前記第２のＸ線不透過性マーキングは、前記バルーン上に設けられる
バルーンカテーテル。
【請求項２２】
請求項２０に記載のバルーンカテーテルであって、
前記第２のＸ線不透過性マーキングは、前記作用面の一方の端部に隣接する前記バルーンの幅狭の端部部位に沿って設けられる
バルーンカテーテル。
【請求項２３】
請求項２０に記載のバルーンカテーテルであって、
前記第２のＸ線不透過性マーキングは、前記作用面の一方の端部に対応する位置で前記シャフト上に設けられる
バルーンカテーテル。
【請求項２４】
請求項２０ないし請求項２３のいずれか一項に記載のバルーンカテーテルであって、
さらに、前記作用面の他の端部に対応する位置で前記シャフト上に設けられた第３のＸ線不透過性マーキングを備える
バルーンカテーテル。
【請求項２５】
請求項１９ないし請求項２３のいずれか一項に記載のバルーンカテーテルであって、
単数または複数の前記Ｘ線不透過性マーキングは、少なくとも部分的にＸ線不透過性材料から形成されたバンドを備える
バルーンカテーテル。
【請求項２６】
請求項１９ないし請求項２３のいずれか一項に記載のバルーンカテーテルであって、
前記オフセットされた位置は、前記非膨張中央位置から近位方向に間隔が隔てられている
バルーンカテーテル。
【請求項２７】
請求項１９ないし請求項２３のいずれか一項に記載のバルーンカテーテルであって、
前記オフセットされた位置は、前記非膨張中央位置から遠位方向に間隔が隔てられている
バルーンカテーテル。
【請求項２８】
請求項１９ないし請求項２３のいずれか一項に記載のバルーンカテーテルであって、
前記オフセットされた位置は、膨張状態にある前記バルーンの前記遠位端と近位端との間の長さの約１ないし１５％の距離だけ前記非膨張中央位置から間隔が隔てられている
バルーンカテーテル。
【請求項２９】
請求項１９ないし請求項２８のいずれか一項に記載のバルーンカテーテルであって、
前記第１のＸ線不透過性マーキングの位置と実質的に一致するオフセットされた第２のＸ線不透過性マーキングを備える第２のバルーンカテーテルと組み合わせられた
バルーンカテーテル。
【請求項３０】
請求項１９ないし請求項２９のいずれか一項に記載のバルーンカテーテルであって、
前記シャフトは、ガイドワイヤ内腔を備える
バルーンカテーテル。
【請求項３１】
請求項１９ないし請求項３０のいずれか一項に記載のバルーンカテーテルであって、
前記少なくとも１つの第１のＸ線不透過性マーキングは、前記膨張中央位置と整合する
バルーンカテーテル。
【請求項３２】
請求項１９ないし請求項３１のいずれか一項に記載のバルーンカテーテルであって、
前記バルーンは、薬剤を備える
バルーンカテーテル。